(57)【特許請求の範囲】
【請求項１】
多孔板により上部室と下部室に仕切られ、前後方向に延びる箱形ケーシングと、このケーシングをその前後方向であって、斜めに振動させる振動手段と、前記下部室に設けた空気供給口に空気を供給する手段と、前記上部室の天井に設けた吸引フードから空気を吸引する手段とを備え、前記上部室の前端側に廃棄物の供給口を設け、この上部室の後端側と前記下部室の底とに、それぞれ選別された廃棄物の排出口を設けた廃棄物の選別装置において、前記ケーシングの天井、底、前端壁および後端壁の少なくともいずれか１つの外壁面に、前記振動に伴ってこの外壁面に当たる空気を分散させる凹凸を有する分散部材を設けたことを特徴とする廃棄物の選別装置。
【請求項２】
前記分散部材がＶ字状波形の凹凸を有するものである請求項１に記載の廃棄物の選別装置。
【請求項３】
前記ケーシングの天井、底、前端壁および後端壁の少なくともいずれか１つの外壁面を、前記ケーシングの振動方向と同じ側に傾斜させた請求項１または２に記載の廃棄物の選別装置。
【発明の詳細な説明】
【０００１】
【発明の属する技術分野】
この発明は、可燃物と不燃物が混じった各種廃棄物を選別する装置に関するものである。
【０００２】
【従来の技術】
建築廃棄物や産業廃棄物等、異種の素材が結合したり、大形の廃材を含む廃棄物を処理する際には、結合した異種素材を分離したり、大形廃材を細かくするために、事前に破砕機等を用いてこれらの廃棄物を破砕し、さらに、これらの破砕した廃棄物を選別装置により可燃物と不燃物とに選別している。また、一般の廃棄物についても、可燃物と不燃物が混じったものは選別装置にかけられる。
【０００３】
この種の可燃物と不燃物とを選別する廃棄物の選別装置としては、例えば、特開平６−２６９７３７号公報に記載されたものがある。この廃棄物の選別装置は、図５に示すように、多孔板５１により上部室５２と下部室５３に仕切られ、前後方向に延びる箱形ケーシング５４と、ケーシング５４を振動させる振動手段５５と、下部室５３に設けた空気供給口５６に空気を供給する送風機５７と、上部室５２の天井に設けた吸引フード５８から捕集機５９を介して空気を吸引する排風機６０とを備え、上部室５２の前端側に廃棄物の供給口６１を設け、上部室５２の後端側と下部室５３の底とに、それぞれ選別された廃棄物の排出口６２、６３を設けたものである。
【０００４】
前記ケーシング５４は、ベース上にばね部材６４を介して載置された機台６５に、互いに直角方向に向けられた揺動レバー６６と圧縮コイルばね６７とで支持され、モータ６８で回転駆動され、機台６５に軸支されたクランク６９とレバー７０で連結されて、前後方向へ斜めに振動を付与されるようになっている。
【０００５】
前記供給口６１からケーシング５４に投入される可燃物と不燃物が混じった廃棄物は、振動手段５５で付与される振動により多孔板５１上を排出口６２側へ移動する。このとき、小石や砂等の細かく比重が大きい不燃物は多孔板５１の孔から下部室５３に落下する。残りの石等の比較的サイズが大きい不燃物と、木片、プラスチック片、紙片等の可燃物とは、空気供給口５６に供給されて多孔板５１の孔から吹き上げる空気と、ケーシング５４の振動とにより、比重の小さい可燃物が上層、比重の大きい不燃物が下層となるように２層に分離される。
【０００６】
前記下部室５３に落下した細かい不燃物は、その底の排出口６３から排出され、さらに、上部室５２で上層に分離された可燃物は、天井の吸引フード５８に吸引されて、捕集機５９から排出され、残ったサイズの大きい不燃物のみが排出口６２から排出される。
【０００７】
【発明が解決しようとする課題】
上述したような廃棄物の選別装置では、ケーシングの振動に伴って、その外壁面に当たる空気が動かされ、低周波の空気圧振動が発生する。この低周波空気圧振動は２キロメートル以上の遠方まで到達することがあり、いわゆる低周波振動公害の源となる。
【０００８】
この種のケーシングの振動に伴う低周波空気圧振動を抑制する技術としては、振動篩を対象として、水平方向に振動する篩体の振動方向の外壁に格子状の傾斜通孔を設けたものがある（実開平２−５３１７８号公報）。
【０００９】
しかしながら、ケーシングの外壁に通孔を設ける方法は、ケーシング内の塵等が外に出るので周囲の環境が悪くなる問題がある。上記振動篩の場合は、これを防止するために、外壁の内側に下降傾斜する阻止板を設けている。このため、格子状の傾斜通孔を設けるための高いコストに、さらに阻止板を設けるコストが加わり、ケーシングが非常に高価なものとなる問題もある。
【００１０】
また、上述した廃棄物の選別装置のように、前後方向へ斜めに振動するケーシングの場合は、天井や底の外壁も空気を動かすので、このようなケーシングの外壁に上記格子状の傾斜通孔を設けることは、さらなるコスト高をもたらし、塵等の飛び出しを防止する技術も別途に工夫する必要がある。
【００１１】
そこで、この発明の課題は、ケーシング内の塵等が外に出ず、かつ、安価に低周波空気圧振動の発生を抑制できる廃棄物の選別装置を提供することである。
【００１２】
【課題を解決するための手段】
上記の課題を解決するために、この発明は、多孔板により上部室と下部室に仕切られ、前後方向に延びる箱形ケーシングと、このケーシングをその前後方向であって、斜めに振動させる振動手段と、前記下部室に設けた空気供給口に空気を供給する手段と、前記上部室の天井に設けた吸引フードから空気を吸引する手段とを備え、前記上部室の前端側に廃棄物の供給口を設け、この上部室の後端側と前記下部室の底とに、それぞれ選別された廃棄物の排出口を設けた廃棄物の選別装置において、前記ケーシングの天井、底、前端壁および後端壁の少なくともいずれか１つの外壁面に、前記振動に伴ってこの外壁面に当たる空気を分散させる凹凸を有する分散部材を設けた構成を採用した。
【００１３】
すなわち、前後方向へ斜めに振動するケーシングの天井、底、前端壁および後端壁の少なくともいずれか１つの外壁面に凹凸を有する分散部材を設けることにより、振動に伴ってこの外壁面に当たる空気を分散させて、低周波空気圧振動が遠方に到達しないようにした。この分散部材は、選別装置が設置される工場等の環境に応じて、ケーシングの天井、底、前端壁および後端壁の外壁面のうち、前記空気圧振動の伝播を防止したい方向を向く外壁面に選択的に設けることができ、勿論、これらの全ての外壁面に設けることもできる。
【００１４】
前記分散部材としては、Ｖ字状波形の凹凸を有するものを採用でき、非常に安価なものとすることができる。
【００１５】
前記ケーシングの天井、底、前端壁および後端壁の少なくともいずれか１つの外壁面を、前記ケーシングの振動方向と同じ側に傾斜させることにより、前記空気圧振動の発生面積を低減できるとともに、これらの傾斜させた外壁面に当たる空気の動きも抑制することができる。したがって、外壁面が空気圧振動の伝播を防止したい方向を向くものであっても、前記分散部材を設けることを省略することもできる。
【００１６】
【発明の実施の形態】
以下、図１乃至図４に基づき、この発明の実施形態を説明する。図１乃至図３は、第１の実施形態を示す。この廃棄物の選別装置は、図１に示すように、概ね水平な多孔板１により上部室２と下部室３に仕切られ、前後方向に延びる箱形ケーシング４と、ケーシング４を振動させる振動手段５と、下部室３に設けた各空気供給口６に流量調節弁７を介して空気を供給する送風機８と、上部室２の天井に設けた各吸引フード９から捕集機１０を介して空気を吸引する排風機１１とを備え、上部室２の前端側に廃棄物の供給口１２を設け、上部室２の後端側と下部室３の底とに、それぞれ選別された廃棄物の排出口１３、１４を設けたものである。
【００１７】
前記ケーシング４は、ベース上にばね部材１５を介して載置された機台１６に取り付けられた揺動レバー１７と、これと直角方向に取り付けられた圧縮コイルばね１８とで支持されている。ケーシング４の天井と前後端壁の外壁面には、それぞれ後述する分散部材１９が設けられている。
【００１８】
前記振動手段５は、機台１６に軸支されたクランク２０と、クランク２０の回転軸をベルト駆動するモータ２１と、クランク２０とケーシング４の両側部を連結する左右一対のレバー２２とから成り、図１中に矢印で示すように、ケーシング４を、その前後方向であって斜めに振動させる。
【００１９】
この選別装置は、主として建築廃棄物を選別するものであり、供給口１２から投入される廃棄物は、大形廃材を分別除去した小形廃材を、破砕機で３０〜５０ｍｍ程度の篩目を通過する大きさに破砕し、これらの破砕物から磁力選別機や非鉄金属選別機を用いて、鉄やアルミニウム等の金属を回収除去したものである。このように前処理された廃棄物には、コンクリート片、石、小石、砂等の不燃物が多く含まれ、これに木片、プラスチック片、紙片等の可燃物が少量混在している。
【００２０】
前記前端側の供給口１２からケーシング４に投入される廃棄物は、振動手段５で付与される振動により多孔板１上を後端側へ移動する。このとき、小石や砂等の細かく比重の大きい不燃物は多孔板１の孔から下部室３に落下し、排出口１４から外部に排出される。
【００２１】
一方、残りのコンクリート片や石等の比較的サイズが大きい不燃物と、木片、プラスチック片、紙片等の可燃物とは、空気供給口６に供給されて多孔板１の孔から吹き上げる空気と、ケーシング４の振動とにより、比重の小さい可燃物が上層、比重の大きい不燃物が下層となるように２層に分離され、上層に分離された浮遊しやすい可燃物が各吸引フード９へ吸引されて、捕集機１０から外部に排出される。また、下層に分離された不燃物は、ケーシング４の後端側へ移動し、排出口１３から外部に排出される。
【００２２】
図２に示すように、ケーシング４の天井、前端壁および後端壁（図示省略）の外壁面には、前記ケーシング４の振動に伴って当たる空気を分散させる分散部材１９が設けられている。この分散部材１９は、Ｖ字状波形の凹凸を有するものであり、分散部材１９の凹凸表面に当たる空気は、その反射方向が左右に分散する。このため、図３に矢印で示すように、ケーシング４の振動に伴って発生する空気圧振動は、全体としては前方に進むが、拡がったり逆方向に進む成分が形成されるので、ケーシング４の近傍で消滅するものがあり、遠方に到達する空気圧振動が減少する。
【００２３】
この実施形態では、ケーシング４の天井と前後端壁の外壁面に分散部材１９を設けたが、これらの外壁面のいずれかが海等の低周波振動公害の恐れがない方向を向く場合は、その分散部材１９を省略することができる。また、選別装置の設置場所や設置形態によっては、底の外壁面に分散部材１９を設けてもよい。
【００２４】
さらに、分散部材１９の形状は、Ｖ字状に限定されることはなく、円弧状等の他の形状であってもよい。また、波形の数や大きさ等も任意であり、適当な間隔をあけて配置することもできる。壁面そのものをプレス加工することにより、凹凸を有する分散部材１９を形成することもできる。
【００２５】
図４は、第２の実施形態を示す。この選別装置は、ケーシング４の天井と底の外壁面が、図中に矢印で示す振動方向と同じ側へ傾斜し、この傾斜に合わせて機台１６の上面に傾斜が設けられるとともに、下部室３の底の排出口１４が、傾斜の下降する前端側に設けられている。なお、機台１６の上面は段差を設けたものとしてもよい。
【００２６】
このため、前記分散部材１９は、ケーシング４の振動に伴って空気の当たる方向が平行に近くなる天井の外壁面には設けられておらず、前端壁と後端壁の外壁面のみに設けられている。その他の部分は、第１の実施形態と同じであるので、図１と同じ符号で表示した。
【００２７】
この実施形態では、ケーシング４の天井と底の外壁面を振動方向と同じ側へ傾斜させたが、前端壁や後端壁の外壁面を振動方向と同じ側へ傾斜させ、その分散部材１９を省略することもできる。
【００２８】
上述した各実施形態では、分散部材をＶ字状波形の凹凸を有するものとしたが、分散部材の凹凸は実施形態のものに限定されることはなく、外壁面に当たる空気を分散させるものであればよい。
【００２９】
【発明の効果】
以上のように、この発明の廃棄物の選別装置は、前後方向へ斜めに振動するケーシングの天井、底、前端壁および後端壁の少なくともいずれか１つの外壁面に凹凸を有する分散部材を設け、振動に伴ってこの外壁面に当たる空気を分散させるようにしたので、ケーシングの振動に伴って発生する低周波空気圧振動を抑制して、安価に低周波振動公害を防止することができる。
【００３０】
また、前記ケーシングの天井、底、前端壁および後端壁の少なくともいずれか１つの外壁面を、ケーシングの振動方向と同じ側へ傾斜させることにより、空気圧振動の発生面積を低減できるとともに、これらの傾斜させた外壁面に当たる空気の動きも抑制することができ、外壁面が空気圧振動の伝播を防止したい方向を向くものであっても、前記分散部材を設けることを省略することもできる。
【図面の簡単な説明】
【図１】第１の実施形態の廃棄物の選別装置を示す縦断面図
【図２】図１のケーシングを示す外観斜視図
【図３】図２の分散部材による空気圧振動の抑制効果を説明する断面図
【図４】第２の実施形態の廃棄物の選別装置を示す一部省略縦断面図
【図５】従来の廃棄物の選別装置を示す縦断面図
【符号の説明】
１  多孔板
２  上部室
３  下部室
４  ケーシング
５  振動手段
６  空気供給口
７  流量調節弁
８  送風機
９  吸引フード
１０  捕集機
１１  排風機
１２  供給口
１３、１４  排出口
１５  ばね部材
１６  機台
１７  揺動レバー
１８  コイルばね
１９  分散部材
２０  クランク
２１  モータ
２２  レバー
【図１】
0003643340.tif 000002
【図２】
0003643340.tif 000003
【図３】
0003643340.tif 000004
【図４】
0003643340.tif 000005
【図５】
0003643340.tif 000006